(57)【要約】少なくとも一つの情報プロバイダ（１１，１３，１５）から少なくとも一つの顧客装置（３）に対して情報を配布する方法であって、下記のステップを具備する方法：　少なくとも一つの情報プロバイダ（１１，１３，１５）から一つの情報発行者（９）へ情報を送り；前記情報の内容を前記情報発行者（９）の顧客プロファイルに記憶された前記顧客に関する情報と比較し；前記顧客ファイル内の一定の特徴に対応する全顧客に前記情報を配布し；各関与する顧客装置（３）内の少なくとも一つの情報受取り口で前記情報を受取り及び加工し；前記顧客装置（３）上に前記情報の少なくとも一部分を表示することにより顧客に通知する。
2004509397.tif 000002
【特許請求の範囲】
【請求項１】
少なくとも一つの情報プロバイダ（１１，１３，１５）から少なくとも一つの顧客装置（３）に対して情報を配布する方法であって、下記のステップを具備する方法：
少なくとも一つの情報プロバイダ（１１，１３，１５）から一つの情報発行者（９）へ情報を送り；
前記情報の内容を前記情報発行者（９）の顧客プロファイルに記憶された前記顧客に関する情報と比較し；
前記顧客ファイル内の一定の特徴に対応する全顧客に前記情報を配布し；
各関与する顧客装置（３）内の少なくとも一つの情報受取り口で前記情報を受取り及び加工し；
前記顧客装置（３）上に前記情報の少なくとも一部分を表示することにより顧客に通知する。
【請求項２】
第１のインターフェイスを介して顧客装置（３）とネットワーク（５）間の連結を創設し；前記第１のインターフェイスとは別の第２のインターフェイスを通して当該顧客装置（３）は前記ネットワーク（５）に連結されていることを前記情報発行者（９）に知らせる、各ステップをさらに具備する請求項１に記載された方法。
【請求項３】
前記顧客に対する前記情報配布が前記第２のインターフェイス（１２）を介して行われることを特徴とする請求項２に記載された方法。
【請求項４】
前記情報の配布が前記顧客の希望及び／又は居場所に依存することを特徴とする請求項１から３までのいずれか一つに記載された方法。
【請求項５】
前記顧客が通知されるべき種類の情報に基づいて少なくとも一つの特定のリスト（２３，２５）内に各顧客装置（３）の少なくとも一つのアドレスを置くことを特徴とする請求項１から４のいずれか一つに記載された方法。
【請求項６】
情報を受取った旨の通知を表示するだけで前記顧客に通知することを特徴とする請求項１から５のいずれか一つに記載された方法。
【請求項７】
事前に設定した期間又は例えば前記情報をクリックすることにより前記顧客が受取りを確認するまで、前記顧客に対して前記情報を表示することを特徴とする請求項１から６のいずれか一つに記載された方法。
【請求項８】
前記顧客が当該瞬間にログオンしていない場合には前記情報発行者（９）内の一定の顧客に配布すべき情報を順に並べ及び前記顧客がログオンしたら直ちに前記情報を前記顧客に配布することを特徴とする請求項１から７のいずれか一つに記載された方法。
【請求項９】
前記情報が前記顧客装置（３）に正しく表示されているかを前記情報受取装置（１９）からチェックして、及びもし前記情報が不正確に表示されている場合には前記情報発行者（９）に対してフォールト・メッセージを送り、及び／又はもし前記情報が正しく表示されている場合はサクセス・メッセージを送ることを特徴とする請求項１から９のいずれか一つに記載された方法。
【請求項１０】
前記情報発行者（９）においてフォールト・メッセージを受取った場合は前記顧客装置と連結を外すために前記情報発行者（９）からネットワーク・アクセス・サーバ（７）に対して指図して及び／又はサクセス・メッセージを受取った場合は前記顧客に返報することを特徴とする請求項９に記載された方法。
【請求項１１】
さらに下記のステップを備えることを特徴とする請求項１から１０までのいずれか一つに記載された方法：
顧客装置（３）から前記情報発行者（９）に対して、例えば前記顧客の友人又は同僚向けに特定の情報を配布すべき旨の指図を送る；
前記顧客からの前記指図にしたがって、この情報を他の顧客装置（３）に対して配布することにおいて、情報の当該配布は前記情報プロバイダ（１１，１３，１５）からの前記情報配布と同様の仕方で成される。
【請求項１２】
トランスポート・プロトコルとしてＳＩＰ（セッション・イニシエーション・プロトコル）を使用することを特徴とする請求項１から１１のいずれか一つに記載された方法。
【請求項１３】
少なくとも一つの情報プロバイダ（１１，１３，１５）から少なくとも一つの顧客装置（３）に対して情報を配布するシステムであって、下記を具備する方法：
少なくとも一つの情報プロバイダ（１１，１３，１５）に連結し、情報発行者（９）内の顧客プロファイルに記憶された顧客に関する情報にしたがって、前記情報プロバイダ（１１，１３，１５）から受取った情報を配布するために適用される情報発行者（９）；
前記情報発行者（９）から受取り及び受取った情報を加工するために適用される各顧客装置（３）内に配置されている情報受取装置（１９）；
前記顧客装置（３）上に前記情報の少なくとも一部分を表示することにより顧客に通知するために適用される各顧客装置（３）内の前記情報受取装置（１９）に連結された情報表示装置（２１）。
【請求項１４】
第１のインターフェイス（１１）を介してネットワーク・アクセス・サーバに連結可能な各顧客装置（３）内の通信スタック（１７）を具備し及び各顧客装置（３）内の前記情報受取装置（１９）は、当該顧客（３）は第２のインターフェイスを通して前記ネットワーク（５）に連結されていることを前記情報発行者（９）に知らせるために適用されることを特徴とする請求項１３に記載されたシステム。
【請求項１５】
前記情報発行者（１４）は前記第１のインターフェイス（１１）とは別の前記第２のインターフェイス（１２）を介して前記顧客に前記情報を配布するために適用されることを特徴とする請求項１４に記載されたシステム。
【請求項１６】
前記情報発行者（９）は前記顧客の希望及び／又は居場所に基づいて前記情報を配布するために適用されることを特徴とする請求項１３から１５までのいずれか一つに記載されたシステム。
【請求項１７】
前記第２のインターフェイス（１２）は前記第１のインターフェイス（１１）より高いレベルであることを特徴とする請求項１４に記載されたシステム。
【請求項１８】
前記情報発行者（９）に置かれたリスト（２３，２５）において、各リストは同一タイプの情報を欲する顧客のアドレスを具備することを特徴とする請求項１３から１７のいずれか一つに記載されたシステム。
【請求項１９】
前記情報表示装置（２１）は顧客が通知されるときは情報が受取られた旨の通知を表示するだけで適用されることを特徴とする請求項１３から１８のいずれか一つに記載されたシステム。
【請求項２０】
前記情報表示装置（２１）は事前に設定した期間又は例えば前記情報をクリックすることにより前記顧客が受取りを確認するまで、前記顧客に対して前記情報を表示するために適用されることを特徴とする請求項１３から１９のいずれか一つに記載されたシステム。
【請求項２１】
前記情報発行者（９）は前記顧客が当該瞬間にログオンしていない場合には一定の顧客に配布すべき情報を順に並べ、前記顧客がログオンしたら直ちに前記情報を前記顧客に配布するために適用されることを特徴とする請求項１３から２０のいずれか一つに記載されたシステム。
【請求項２２】
前記情報発行者（９）は前記情報が前記顧客装置（３）に正しく表示されているかをチェックして、もし前記情報が不正確に表示されている場合には前記情報発行者（９）に対してフォールト・メッセージを送り、及び／又はもし前記情報が正しく表示されている場合はサクセス・メッセージを送るために適用されることを特徴とする請求項１３から２１のいずれか一つに記載されたシステム。
【請求項２３】
前記情報発行者（９）はフォールト・メッセージを受取った場合は前記顧客装置と連結を外すために前記情報発行者（９）からネットワーク・アクセス・サーバ（７）に対して指図して及び／又はサクセス・メッセージを受取った場合は前記顧客に返報するために適用されることを特徴とする請求項２２に記載されたシステム。
【請求項２４】
前記情報受取装置（１９）は、顧客装置（３）から前記情報発行者（９）に対して、例えば前記顧客の友人又は同僚向けに特定の情報を配布すべき旨の指図を送り、及び前記顧客からの前記指図にしたがって、この情報を他の顧客装置（３）に対して配布するために適用されることにおいて、情報の当該配布は前記情報プロバイダ（１１，１３，１５）からの前記情報配布と同様の仕方で成される、ことを特徴とする請求項１３から２３のいずれか一つに記載されたシステム。
【請求項２５】
トランスポート・プロトコルとしてＳＩＰ（セッション・イニシエーション・プロトコル）を使用することを特徴とする請求項１３から２４のいずれか一つに記載されたシステム。
【請求項２６】
請求項１３から２５のいずれか一つに従った情報受取装置（１９）及び情報表示装置（２１）を具備する顧客装置。
【請求項２７】
請求項１３から２５のいずれか一つに従った情報発行者（９）を具備するアクセス・サービス・プロバイダ。
【発明の詳細な説明】
【０００１】
［発明の背景］
本発明は少なくとも一つの情報プロバイダから少なくとも一つの顧客装置へ情報を配布する方法に関する。
【０００２】
また本発明は少なくとも一つの情報プロバイダから少なくとも一つの顧客装置へ情報を配布するシステムに関する。
【０００３】
さらに本発明は顧客装置及びアクセス・サービス・プロバイダに関する。
【０００４】
［関連技術］
上述の種類の情報配布方法は現在でも存在する。一つの例はインターネット顧客がウェブをブラウズしてウェブページをロードする最中に商用情報を表示することである。
【０００５】
これらの現存の方法に伴う問題は、顧客が特定のアプリケーション、例えばウェブブラウザを使用するときに情報を配布するだけに限定されることである。
【０００６】
もう一つの問題は、配布する上で顧客の中で選択をすることが不可能なことである。
【０００７】
さらなる問題は、情報プロバイダは、顧客に情報が正確に表示されているかをチェックできないことである。
【０００８】
［要約］
本発明の目的は、情報プロバイダと顧客間及び異なる顧客間で情報配布に関しての対話を向上させることである。また本発明の一つの目的は、顧客装置へ情報を配布し及び情報を顧客に効率的に提示する方法及びシステムを提供することである。
【０００９】
この目的は下記のステップを具備する初期定義された方法により達成される：少なくとも一つの情報プロバイダから一つの情報発行者へ情報を送り；前記情報の内容を前記情報発行者の顧客プロファイルに記憶された前記顧客に関する情報と比較し；前記顧客ファイル内の一定の特徴に対応する全顧客に前記情報を配布し；各関与する顧客装置内の少なくとも一つの情報受取り口で前記情報を受取り及び加工し；前記顧客装置上に前記情報の少なくとも一部分を表示することにより顧客に通知する。
【００１０】
また上記目的は下記を具備することを特徴とする前述の種類のシステムにより達成することができる：少なくとも一つの情報プロバイダに連結し、情報発行者内の顧客プロファイルに記憶された顧客に関する情報にしたがって、前記情報プロバイダから受取った情報を配布するために適用される情報発行者；前記情報発行者から受取り及び受取った情報を加工するために適用される各顧客装置内に配置されている情報受取装置；前記顧客装置上に前記情報の少なくとも一部分を表示することにより顧客に通知するために適用される各顧客装置内の前記情報受取装置に連結された情報表示装置。
【００１１】
またこのような情報受取装置及び情報表示装置を具備する顧客装置及びこのような情報発行者を具備するアクセス・サービス・プロバイダによっても前記目的を達成される。
【００１２】
以上の方法、システム、顧客装置及びアクセス・サービス・プロバイダでは、情報はかれらの希望に従うか、又はかれらの場所に従って顧客に情報を届けることができ、情報を即座に顧客に届けることができる。
【００１３】
好ましくは、本方法はさらに下記のステップを具備する；第１のインターフェイスを介して顧客装置とネットワーク間の連結を創設し；前記第１のインターフェイスとは別の第２のインターフェイスを通して当該顧客装置は前記ネットワークに連結されていることを前記情報発行者に知らせる。
【００１４】
この第２のインターフェイスは前記第１のインターフェイスよりレベルが高く、従って論理連結であることが好ましい。
【００１５】
好ましくは、前記顧客に対する前記情報配布が前記第２のインターフェイスを介して行われる。それによって、情報はその瞬間に使用しているアプリケーションに囚われずに顧客に表示することができる。
【００１６】
好ましくは、前記情報の配布は前記顧客の希望及び／又は居場所に依存する。
【００１７】
好ましくは、前記顧客が通知されるべき種類の情報に基づいて少なくとも一つの特定のリスト内に各顧客装置の少なくとも一つのアドレスを置く。
【００１８】
顧客は情報を受取った旨の通知を表示するだけで通知される。
【００１９】
事前に設定した期間又は例えば前記情報をクリックするいずれかにより、前記顧客が受取りを確認するまで、前記顧客に対して前記情報を表示する。
【００２０】
好ましくは、前記顧客が当該瞬間にログオンしていない場合には前記情報発行者内の一定の顧客に配布すべき情報を順に並べ及び前記顧客がログオンしたら直ちに前記情報を前記顧客に配布する。
【００２１】
好ましくは、前記情報が前記顧客装置に正しく表示されているかを前記情報受取装置からチェックして、及びもし前記情報が不正確に表示されている場合には前記情報発行者に対してフォールト・メッセージを送り、及び／又はもし前記情報が正しく表示されている場合はサクセス・メッセージを送る。
【００２２】
好ましくは、前記情報発行者においてフォールト・メッセージを受取った場合は前記顧客装置と連結を外すために前記情報発行者からネットワーク・アクセス・サーバに対して指図して及び／又はサクセス・メッセージを受取った場合は前記顧客に返報する。
【００２３】
本方法はまた下記のステップを備える：顧客装置から前記情報発行者に対して、例えば前記顧客の友人又は同僚向けに特定の情報を配布すべき旨の指図を送る；前記顧客からの前記指図にしたがって、この情報を他の顧客装置に対して配布することにおいて、情報の当該配布は前記情報プロバイダからの前記情報配布と同様の仕方で成される。
【００２４】
好ましくは、トランスポート・プロトコルとしてＳＩＰ（セッション・イニシエーション・プロトコル）を使用する。
【００２５】
［実施態様の詳細な説明］
図１は、本発明の第１の実施態様に従って顧客装置と通信して及び顧客に情報を提供するアクセス・サービス・プロバイダのスキーム図を表す。アクセス・サービス・プロバイダ１は、バックボーン・ネットワーク５を顧客に提供する。アクセス・サービス・プロバイダ１はネットワーク５に連結するネットワーク・アクセス・サーバ７、及びネットワーク５及びネットワーク・アクセス・サーバ７に連結する情報発行者９を具備する。情報プロバイダ１１，１３，１５は情報発行者９及びネットワーク５に連結される。
【００２６】
顧客装置３は、第１のインターフェイス１１を介してネットワーク・アクセス・サーバに連結可能な通信スタック１７を具備する。それはまた第２のインターフェイスを通してアクセス・サービス・プロバイダ１内の情報発行者９に連結可能な情報受取装置１９を具備する。この第２のインターフェイス１２は第１のインターフェイス１１よりレベルが高く、したがって唯の論理結合である。さらに情報受取装置１９は顧客装置３内の情報表示装置２１に連結されている。情報表示装置２１は顧客装置３内の情報受取装置１９で受取った情報を表示することにより顧客に通知するために適用される。顧客装置３内の情報の表示には、通信スタック１７と対話は必要ない。このことにより信頼できない顧客による操作のリスクを削減する。
【００２７】
情報受取装置１９及び情報表示装置２１は顧客装置３の同一のユニットで提供することが可能で、情報プロバイダ１１，１３，１５は、アクセス・サービス・プロバイダ１の情報発行者９として同一のユニットで提供することが可能である。情報発行者９とネットワーク・アクセス・サーバ７間の連結は、ここでは第３のインターフェイスと称するインターフェイスである。
【００２８】
顧客装置３を使う顧客が第１のインターフェイスを通じてネットワークにログオンすると、情報受取装置１９は第２のインターフェイスを通じてこの特定の顧客がログオンした旨を情報発行者９に知らせる。情報発行者９はこの情報サービスに参加した顧客に関する情報を備える。顧客に関する情報は、例えば、顧客が関心を示して受取りたい情報とか又は商用情報を受取る代わりに無料でインターネット・アクセスを許容している顧客である、といった情報である。また、顧客の年齢及び場所といった情報であるかもしれない。異なる顧客に関する全ての情報は情報発行者９の顧客プロファイルに記憶することができる。そして情報はプロファイルの情報に従って配布される。情報発行者９は、本発明の一つの実施態様では、同一の情報を提供する顧客へのアドレスを備えるリスト２３、２５を具備する。ここでは二つのリスト２３，２５だけ示されているが、むろん他に多くのリストが存在することも可能である。情報サービスに参加したい顧客は、まず、例えば何の種類の情報を受けたいと欲しているかを情報発行者９に知らせる。各リストは例えば特定のタイプの情報を欲している全ての顧客、又は無料のインターネットを得るために商用を得るべき全ての顧客を備えている。
【００２９】
本システムのもう一つの可能性は、顧客自身が友人又は同僚に対して送るべき情報を発信できることである。この場合情報発行者９はまた、例えば友人あるいは同僚に対する顧客の異なったアドレスを具備するもう一つのタイプの情報を備えるか、又はダウンロードすることができる。
【００３０】
本発明に従った方法及びシステムの便益は、もしサービス・プロバイダ、情報プロバイダ及び顧客間のトランスポート・プロトコルとしてＳＩＰ（セッション・イニシエーション・プロトコル）が使われると、より大きなものになる。ＳＩＰが使われると、顧客はコンピュータの近くにいなくても彼が欲する情報が届けられる。この情報は例えば携帯電話に転送して表示することができる。顧客が彼の携帯のスイッチを入れると、情報受取装置１９は情報発行者９にこの顧客が連結されたこと、及び連結されたターミナルのアドレスとタイプを知らせる。
【００３１】
ある種のタイプの情報を受取ることに興味のある新しい顧客は、情報発行者９に対して何のタイプの情報を受取ることに興味がある旨を知らせる必要がある。同一情報を欲する異なる顧客は一つの顧客集団を形成する。情報発行者９は、これらの集団のリスト２３，２５を維持する。そこで情報プロバイダ１１，１３，１５は、この特定の情報のリスト内の顧客に対して方法を配布する情報発行者に対して、情報を送る。これらの顧客装置の各々の情報受取装置は、情報を受取り、それを加工する。そして情報が顧客に表示される。これらの特定のリスト内の顧客で情報にログオンしていない者がいる場合は、顧客がログオンしたら直ちに送れるように情報発行者９内に順に留保しておくことができる。本発明の第２の実施態様では、情報が受取られ、表示できる旨の通知だけが顧客に対して直ちに表示される。そこで顧客は情報を今受取るか後で受取るかを選択することができる。また顧客に対する情報の表示の仕方についても他に幾つかの可能性がある。表示される情報は、ある一定の時間後に消えるか、又は消すためにクリックすることを必要とするかのいずれかが可能である。もし情報が顧客に表示されたかの確認が必要な場合は後者のほうが望ましい。
【００３２】
本発明のもう一つの実施態様では、情報発行者９は、顧客のプロファイルに関する情報を情報プロバイダ１１，１３，１５に知らせ、情報プロバイダ１１，１３，１５は自身で顧客に対して情報を配布する。
【００３３】
図２は、本発明の第１の実施態様に従った情報配布のプロセスを示すフローチャートを表す。プロセスの説明で述べるコンポーネントは図１に全て示されている。
【００３４】
プロセスはブロックＢ４１においてリスト２３，２５の一つに含まれた顧客がネットワークに接続するところから始まる。そして通信スタック１７が第１のインターフェイス１１を介してネットワーク・アクセス・サーバ７に接続する。ブロックＢ４３では、情報受取装置１９が第２のインターフェイスを介して、この特定の顧客が現在ログオンした旨を情報発行者９に知らせる。情報発行者９は彼のリスト２３，２５に顧客が現在ログオンしたことを記す。ブロックＢ４５において、情報プロバイダ１１の一つが伝達する新しい情報を有する。この情報は情報発行者９に送られる。ブロックＢ４７において、情報発行者９はこの特定の情報を欲する顧客のアドレスを備えるリストを見つけ、第２のインターフェイス１２を介して、情報を各関与する顧客装置３の情報受取装置１９に送る。ブロックＢ４９において、情報は受取られ、情報受取装置１９で加工され、及びブロックＢ５１において、情報受取装置１９は情報表示装置２１に対して、情報を顧客に通知し及び情報を顧客に表示する旨の指図を与える。
【００３５】
ブロックＢ５３において、情報受取装置１９は情報が正しく表示されたかをチェックし、情報発行者９に対して、情報が正しく顧客に表示されたか否かについて、サクセス・メッセージ又はフォールト・メッセージを返す。もし情報が顧客装置に正しく表示されている場合は、プロセスはブロックＢ５５で終了する。本発明のもう一つの実施態様では、顧客は情報が表示されたときにある方法で返礼を受ける。
【００３６】
一方、もし情報が表示されない場合には、プロセスはブロックＢ５７で継続し、情報発行者９はネットワーク・アクセス・サーバ７にフォールトを知らせる。ブロックＢ５９において、ネットワーク・アクセス・サーバ７はアクションをとる。例えば、もし状況が顧客が無料インターネットの代わりに例えば商用を受取る義務がある場合には、顧客は接続を切られることも可能である。
【００３７】
これらの最後のステップでは、メッセージは情報受取装置１９から情報発行者に送られる。情報が表示されたか否かについて述べることは本発明にとり必ずしも必要ではない。
【００３８】
図３は、本発明の一つの実施態様に従ったプロセスを表す。このプロセスは図２に示されたプロセスを補完するものである。そこで図２に示された第１の実施態様は、下記の特徴も具備するように拡張できる。ここでは情報の送付は顧客から開始される。例えば顧客により受取られた情報で、彼の同僚すべてに転送したいような情報である。または顧客装置３の中で発生した情報である。
【００３９】
ブロックＢ６１では、顧客は彼が受け取り、例えば彼の友人や同僚に転送したい情報を含むメッセージを情報発行者９に送る。メッセージは情報を転送したい先のアドレスも具備する。ブロックＢ６３では、メッセージは情報発行者９で受取られ、ブロックＢ６５では、情報は他の顧客に配布される。この配布は、情報プロバイダ１１，１３，１５からの情報の配布と同様のやり方で行われる。
【図面の簡単な説明】
【図１】
本発明の第１の実施態様に従って顧客装置と通信して及び顧客に情報を提供するアクセス・サービス・プロバイダのスキーム図を表す。
【図２】
本発明の第１の実施態様に従った情報配布のプロセスを示すフローチャートを表す。
【図３】
本発明に従って顧客から始める情報配布のプロセスを示すフローチャートを表す。
【図２】
2004509397.tif 000003
【図３】
2004509397.tif 000004
【国際公開パンフレット】
2004509397.tif 000005
2004509397.tif 000006
2004509397.tif 000007
2004509397.tif 000008
2004509397.tif 000009
2004509397.tif 000010
2004509397.tif 000011
2004509397.tif 000012
2004509397.tif 000013
2004509397.tif 000014
2004509397.tif 000015
2004509397.tif 000016
2004509397.tif 000017
2004509397.tif 000018
2004509397.tif 000019
2004509397.tif 000020
2004509397.tif 000021
2004509397.tif 000022
【国際公開パンフレット（コレクトバージョン）】
2004509397.tif 000023
【手続補正書】
【提出日】平成14年10月23日(2002.10.23)
【手続補正１】
【補正対象書類名】明細書
【補正対象項目名】特許請求の範囲
【補正方法】変更
【補正の内容】
【特許請求の範囲】
【請求項１】
少なくとも一つの情報プロバイダ（１１，１３，１５）から少なくとも一つの顧客装置（３）に対して情報を配布する方法であって、下記のステップを具備する方法：
少なくとも一つの情報プロバイダ（１１，１３，１５）から一つの情報発行者（９）へ情報を送り；
前記情報の内容を前記顧客に関する情報と比較することにおいて、前記顧客に関する情報は、前記顧客が当該情報サービスに参加したときに前記情報発行者（９）の顧客プロファイルに記憶され；
前記顧客ファイル内の一定の特徴に対応する全顧客に前記情報を配布し；
各関与する顧客装置（３）内の少なくとも一つの情報受取り口で前記情報を受取り及び加工し；
前記顧客装置（３）上に前記情報の少なくとも一部分を表示することにより顧客に通知する。
【請求項２】
第１のインターフェイスを介して顧客装置（３）とネットワーク（５）間の連結を創設し；前記第１のインターフェイスとは別の第２のインターフェイスを通して当該顧客装置（３）は前記ネットワーク（５）に連結されていることを前記情報発行者（９）に知らせる、各ステップをさらに具備する請求項１に記載された方法。
【請求項３】
前記顧客に対する前記情報配布が前記第２のインターフェイス（１２）を介して行われることを特徴とする請求項２に記載された方法。
【請求項４】
前記情報の配布が前記顧客の希望及び／又は居場所に依存することを特徴とする請求項１から３までのいずれか一つに記載された方法。
【請求項５】
前記顧客が通知されるべき種類の情報に基づいて少なくとも一つの特定のリスト（２３，２５）内に各顧客装置（３）の少なくとも一つのアドレスを置くことを特徴とする請求項１から４のいずれか一つに記載された方法。
【請求項６】
情報を受取った旨の通知を表示するだけで前記顧客に通知することを特徴とする請求項１から５のいずれか一つに記載された方法。
【請求項７】
事前に設定した期間又は例えば前記情報をクリックすることにより前記顧客が受取りを確認するまで、前記顧客に対して前記情報を表示することを特徴とする請求項１から６のいずれか一つに記載された方法。
【請求項８】
前記顧客が当該瞬間にログオンしていない場合には前記情報発行者（９）内の一定の顧客に配布すべき情報を順に並べ及び前記顧客がログオンしたら直ちに前記情報を前記顧客に配布することを特徴とする請求項１から７のいずれか一つに記載された方法。
【請求項９】
前記情報が前記顧客装置（３）に正しく表示されているかを前記情報受取装置（１９）からチェックして、及びもし前記情報が不正確に表示されている場合には前記情報発行者（９）に対してフォールト・メッセージを送り、及び／又はもし前記情報が正しく表示されている場合はサクセス・メッセージを送ることを特徴とする請求項１から８のいずれか一つに記載された方法。
【請求項１０】
前記情報発行者（９）においてフォールト・メッセージを受取った場合は前記顧客装置と連結を外すために前記情報発行者（９）からネットワーク・アクセス・サーバ（７）に対して指図して及び／又はサクセス・メッセージを受取った場合は前記顧客に返報することを特徴とする請求項９に記載された方法。
【請求項１１】
さらに下記のステップを備えることを特徴とする請求項１から１０までのいずれか一つに記載された方法：
顧客装置（３）から前記情報発行者（９）に対して、例えば前記顧客の友人又は同僚向けに特定の情報を配布すべき旨の指図を送る；
前記顧客からの前記指図にしたがって、この情報を他の顧客装置（３）に対して配布することにおいて、情報の当該配布は前記情報プロバイダ（１１，１３，１５）からの前記情報配布と同様の仕方で成される。
【請求項１２】
トランスポート・プロトコルとしてＳＩＰ（セッション・イニシエーション・プロトコル）を使用することを特徴とする請求項１から１１のいずれか一つに記載された方法。
【請求項１３】
少なくとも一つの情報プロバイダ（１１，１３，１５）から少なくとも一つの顧客装置（３）に対して情報を配布するシステムであって、下記を具備する方法：
少なくとも一つの情報プロバイダ（１１，１３，１５）に連結し、情報発行者（９）内の顧客プロファイルに記憶された顧客に関する情報であって、前記顧客に関する情報は前記顧客が当該情報サービスに参加したときに前記情報発行者（９）の顧客プロファイルに記憶された情報にしたがって、前記情報プロバイダ（１１，１３，１５）から受取った情報を配布するために適用される情報発行者（９）；
前記情報発行者（９）から受取り及び受取った情報を加工するために適用される各顧客装置（３）内に配置されている情報受取装置（１９）；
前記顧客装置（３）上に前記情報の少なくとも一部分を表示することにより顧客に通知するために適用される各顧客装置（３）内の前記情報受取装置（１９）に連結された情報表示装置（２１）。
【請求項１４】
第１のインターフェイス（１１）を介してネットワーク・アクセス・サーバに連結可能な各顧客装置（３）内の通信スタック（１７）を具備し及び各顧客装置（３）内の前記情報受取装置（１９）は、当該顧客（３）は第２のインターフェイスを通して前記ネットワーク（５）に連結されていることを前記情報発行者（９）に知らせるために適用されることを特徴とする請求項１３に記載されたシステム。
【請求項１５】
前記情報発行者（１４）は前記第１のインターフェイス（１１）とは別の前記第２のインターフェイス（１２）を介して前記顧客に前記情報を配布するために適用されることを特徴とする請求項１４に記載されたシステム。
【請求項１６】
前記情報発行者（９）は前記顧客の希望及び／又は居場所に基づいて前記情報を配布するために適用されることを特徴とする請求項１３から１５までのいずれか一つに記載されたシステム。
【請求項１７】
前記第２のインターフェイス（１２）は前記第１のインターフェイス（１１）より高いレベルであることを特徴とする請求項１４に記載されたシステム。
【請求項１８】
前記情報発行者（９）に置かれたリスト（２３，２５）において、各リストは同一タイプの情報を欲する顧客のアドレスを具備することを特徴とする請求項１３から１７のいずれか一つに記載されたシステム。
【請求項１９】
前記情報表示装置（２１）は顧客が通知されるときは情報が受取られた旨の通知を表示するだけで適用されることを特徴とする請求項１３から１８のいずれか一つに記載されたシステム。
【請求項２０】
前記情報表示装置（２１）は事前に設定した期間又は例えば前記情報をクリックすることにより前記顧客が受取りを確認するまで、前記顧客に対して前記情報を表示するために適用されることを特徴とする請求項１３から１９のいずれか一つに記載されたシステム。
【請求項２１】
前記情報発行者（９）は前記顧客が当該瞬間にログオンしていない場合には一定の顧客に配布すべき情報を順に並べ、前記顧客がログオンしたら直ちに前記情報を前記顧客に配布するために適用されることを特徴とする請求項１３から２０のいずれか一つに記載されたシステム。
【請求項２２】
前記情報発行者（９）は前記情報が前記顧客装置（３）に正しく表示されているかをチェックして、もし前記情報が不正確に表示されている場合には前記情報発行者（９）に対してフォールト・メッセージを送り、及び／又はもし前記情報が正しく表示されている場合はサクセス・メッセージを送るために適用されることを特徴とする請求項１３から２１のいずれか一つに記載されたシステム。
【請求項２３】
前記情報発行者（９）はフォールト・メッセージを受取った場合は前記顧客装置と連結を外すために前記情報発行者（９）からネットワーク・アクセス・サーバ（７）に対して指図して及び／又はサクセス・メッセージを受取った場合は前記顧客に返報するために適用されることを特徴とする請求項２２に記載されたシステム。
【請求項２４】
前記情報受取装置（１９）は、顧客装置（３）から前記情報発行者（９）に対して、例えば前記顧客の友人又は同僚向けに特定の情報を配布すべき旨の指図を送り、及び前記顧客からの前記指図にしたがって、この情報を他の顧客装置（３）に対して配布するために適用されることにおいて、情報の当該配布は前記情報プロバイダ（１１，１３，１５）からの前記情報配布と同様の仕方で成される、ことを特徴とする請求項１３から２３のいずれか一つに記載されたシステム。
【請求項２５】
トランスポート・プロトコルとしてＳＩＰ（セッション・イニシエーション・プロトコル）を使用することを特徴とする請求項１３から２４のいずれか一つに記載されたシステム。
【請求項２６】
請求項１３から２５のいずれか一つに従った情報受取装置（１９）及び情報表示装置（２１）を具備する顧客装置。
【請求項２７】
請求項１３から２５のいずれか一つに従った情報発行者（９）を具備するアクセス・サービス・プロバイダ。
【国際調査報告】
2004509397.tif 000024
2004509397.tif 000025
2004509397.tif 000026
2004509397.tif 000027